(57)【要約】【課題】エレベータの乗りかごに設けられた光電装置の光透過面を特別な動力を要することなく、頻繁に繰り返して自動的に清掃することができるエレベータ光電装置の清掃装置を提供する。【解決手段】エレベータの乗りかご２には光透過面４ａを有する光電装置４が設けられている。乗りかご２が昇降する昇降路１内には、前記乗りかご２の昇降移動に応じて前記光電装置４の光透過面４ａと接触することが可能な清掃具としてのブラシ６が設けられている。そして前記乗りかご２が昇降路１内で昇降することにより前記ブラシ６が前記光電装置４の光透過面４ａに繰り返して接触し、これによりその光透過面４ａが清掃され、常時清浄な状態に維持される。【選択図】    図１
2005320120.tif 000002
【特許請求の範囲】
【請求項１】
エレベータの乗りかごに設けられた、光透過面を有する光電装置と、
前記乗りかごが昇降する昇降路内に設けられ、前記乗りかごの昇降移動に応じて前記光電装置の光透過面と接触することが可能な清掃具と、
を具備することを特徴とするエレベータ光電装置の清掃装置。
【請求項２】
前記清掃具は、ブラシか回転自在なローラのうちのいずれかであることを特徴とする請求項１に記載のエレベータ光電装置の清掃装置。
【請求項３】
エレベータの乗りかごに設けられた、光透過面を有する光電装置と、
前記乗りかごに設けられ、前記光透過面に接触可能で、通常時にはスプリングの付勢力で前記光透過面から離れる位置に保持された清掃具と、
前記乗りかごが昇降する昇降路内に設けられ、前記乗りかごの昇降移動に応じて前記清掃具を前記スプリングに抗して移動させて前記光電装置の光透過面に接触させる押し具と、
を具備することを特徴とするエレベータ光電装置の清掃装置。
【請求項４】
エレベータの乗りかごに設けられた、光透過面を有する光電装置と、
前記乗りかごに設けられ、弾性的に伸縮し、その伸縮動作でノズルを介して前記光透過面に空気を吹きつけることが可能なブロアを有する気吹き機構と、
前記乗りかごが昇降する昇降路内に設けられ、前記乗りかごの昇降移動に応じて前記ブロアを伸縮させる押し具と、
を具備することを特徴とするエレベータ光電装置の清掃装置。
【発明の詳細な説明】
【技術分野】
【０００１】
この発明は、エレベータに設けられている光電装置を自動的に清掃する清掃装置に関する。
【背景技術】
【０００２】
一般に、エレベータの乗りかごには、光の入射や出射により例えばエレベータの乗り場ドアの開閉動作や乗りかごの着床位置を検出する光電装置が設けられている。
【０００３】
この種の光電装置は、光を出射あるいは入射させる光透過面を有し、通常この光透過面は外部に露出しており、このためこの光透過面に塵埃等の異物が付着して汚れが生じ、その汚れで光の透過性が低下して光電装置が誤動作を起こす恐れがある。
【０００４】
このため従来においては、乗りかごが昇降する昇降路内に作業員が入り込んで手作業で光電装置の光透過面を定期的に清掃し、光電装置の誤動作の発生を防止するようにしている。
【発明の開示】
【発明が解決しようとする課題】
【０００５】
しかしながら、手作業で光電装置の光透過面を清掃するのでは、時間と労力がかかり、また頻繁な清掃が難しく、その清掃を怠って光電装置の誤動作を招いてしまう恐れがある。
【０００６】
この発明は、このような点に着目してなされたもので、その目的とするところは、光電装置の光透過面を特別な動力を要することなく、頻繁に繰り返して自動的に清掃することができるエレベータ光電装置の清掃装置を提供することにある。
【課題を解決するための手段】
【０００７】
請求項１の発明は、エレベータの乗りかごに設けられた、光透過面を有する光電装置と、前記乗りかごが昇降する昇降路内に設けられ、前記乗りかごの昇降移動に応じて前記光電装置の光透過面と接触することが可能な清掃具とを具備することを特徴としている。
【０００８】
請求項２の発明は、前記清掃具が、ブラシか回転自在なローラのうちのいずれかであることを特徴としている。
【０００９】
請求項３の発明は、エレベータの乗りかごに設けられた、光透過面を有する光電装置と、前記乗りかごに設けられ、前記光透過面に接触可能で、通常時にはスプリングの付勢力で前記光透過面から離れる位置に保持された清掃具と、前記乗りかごが昇降する昇降路内に設けられ、前記乗りかごの昇降移動に応じて前記清掃具を前記スプリングに抗して移動させて前記光電装置の光透過面に接触させる押し具とを具備することを特徴としている。
【００１０】
請求項４の発明は、エレベータの乗りかごに設けられた、光透過面を有する光電装置と、前記乗りかごに設けられ、弾性的に伸縮し、その伸縮動作でノズルを介して前記光透過面に空気を吹きつけることが可能なブロアを有する気吹き機構と、前記乗りかごが昇降する昇降路内に設けられ、前記乗りかごの昇降移動に応じて前記ブロアを伸縮させる押し具とを具備することを特徴としている。
【発明の効果】
【００１１】
この発明によれば、光電装置の光透過面を特別な動力を要することなく、頻繁に繰り返して自動的に清掃することができ、したがって光電装置の光透過面を常時きれいな状態に保って光電装置の誤動作を防止することができる。
【発明を実施するための最良の形態】
【００１２】
以下、この発明の実施の形態について図面を参照して説明する。
【００１３】
図１には第１の実施形態を示してある。図はエレベータの昇降路１を平面的に見た状態であり、昇降路１内に吊り下げられた乗りかご２にはブラケット３を介して光電装置４が取り付けられている。
【００１４】
乗りかご２に設けられた光電装置４は光を出射あるいは入射させる光透過面４ａを有し、この光透過面４ａはほぼ垂直方向に広がる面となっている。
【００１５】
また、昇降路１内には清掃具として例えばブラシ６が設けられている。このブラシ６はブラケット７を介して昇降路１内の機材、例えば乗りかご２の昇降をガイドするガイドレール（図示せず）に取り付けられている。
【００１６】
ブラシ６は、乗りかご２の昇降移動に応じて光電装置４の光透過面４ａと接触することが可能な位置に配置されている。なお、ブラシ６は、昇降路１内に一つ設ける場合であっても、乗りかご２の昇降行程区間に所定の間隔をあけて複数設ける場合であってもよい。
【００１７】
このような構成においては、乗りかご２が昇降移動する都度、ブラシ６が光電装置４の光透過面４ａに接触し、この接触で光透過面４ａに塵埃等の異物が付着しているときにそれが拭いとられて清掃される。
【００１８】
乗りかご２は頻繁に昇降移動し、その都度、光電装置４の光透過面４ａはブラシ６により繰り返して清掃され、したがって光透過面４ａに塵埃等の異物が付着して堆積するようなことがなく、これにより光透過面４ａを常時きれいな状態に保て、光電装置４の誤動作の発生を確実に防止することができる。
【００１９】
図２には第２の実施形態を示してあり、この実施形態においては、ブラケット３に光電装置４が取り付けられているとともに、清掃具としてのブラシ６を有する可動式清掃機構１０が設けられ、これら光電装置４と可動式清掃機構１０とで一つのユニットが構成され、このユニットが乗りかご２に一体的に取り付けられている。
【００２０】
可動式清掃機構１０は、ブラケット３に取り付けられた支持片１３と、この支持片１３にヒンジ１４を介して垂直軸回り方向に回動可能に取り付けられた可動片１５と、この可動片１５の先端部に取り付けられた清掃具としてのブラシ６とを備え、可動片１５がヒンジ１１を中心に回動することにより前記ブラシ６が前記光電装置４の光透過面４ａに摺接するようになっている。
【００２１】
可動片１５は、ブラシ６が光電装置４から離れる方向にスプリング１６を介して弾性的に付勢され、図２（Ａ）に示すように、通常時にはその光電装置４から離れる待機位置にストッパ（図示せず）を介して保持されている。なお、前記スプリング１６が圧縮系のものであれば、ブラケット３に連結するだけで特に前記ストッパは不要である。
【００２２】
一方、昇降路内には、ブラケット１８を介して押し具としてのローラ１９が水平軸回り方向に回転自在に設けられている。このローラ１９は、乗りかご２が昇降するときに前記待機位置にある可動片１５がその周面に接触する位置に配置されている。
【００２３】
このような構成においては、乗りかご２が昇降移動すると、図２（Ａ）に示すように、可動片１５がローラ１９の周面に接触する。そしてこの接触に応じてローラ１９が水平軸回り方向に回転するとともに、このローラ１９に押されて可動片１５がヒンジ１４を中心に垂直軸回り方向に回動し、この回動で図２（Ｂ）に示すようにブラシ６が光電装置４の光透過面４ａに接触する。そして可動片１５がローラ１９を通過すると、スプリング１６の付勢力で逆方向に回動して待機位置に戻る。
【００２４】
このようにして乗りかご２が昇降移動する都度、ブラシ６が光電装置４の光透過面４ａに接触し、この接触で光透過面４ａに塵埃等の異物が付着しているときにそれが拭いとられて清掃され、したがって光透過面４ａに塵埃等の異物が付着して堆積するようなことがなく、光透過面４ａを常時きれいな状態に保つことができ、光電装置４の誤動作の発生を防止することができる。
【００２５】
そして本実施形態では、光電装置４とブラシ６とが一つの一体的なユニットとして構成されており、このため光電装置４の光透過面４ａとブラシ６との位置関係の調整が容易となり、また乗りかご２が揺れたり振動したりしてもその光電装置４の光透過面４ａとブラシ６との相対的な位置関係が一定に保たれ、したがって乗りかご２の揺れや振動にかかわらず常に適正に機能する。
【００２６】
なお、本実施形態では、押し具としてローラ１９を用いたが、これに代えて、例えば乗りかご２の昇降に応じて前記可動片１５と接触可能なテーパ面を有し、そのテーパ面で可動片１５をスプリング１６に抗して押し動かすことが可能な部材を用いることもできる。
【００２７】
図３には第３の実施形態を示してあり、この実施形態においては、乗りかご２にブラケット３を介して光電装置４が取り付けられ、さらにブラケット３２を介して気吹き機構２３が取り付けられている。
【００２８】
気吹き機構２３は、弾性的に伸縮して空気の吹き出しが可能なベローズ式のブロア２４と、このブロア２４から導出されたノズル２５とを有し、前記ノズル２５の先端が光電装置４の光透過面４ａに近接して対向するように配置されている。
【００２９】
また、昇降路内には、ブラケット１８を介して押し具としてのローラ１９が水平軸回り方向に回転自在に設けられている。このローラ１９は、乗りかご２が昇降するときに前記伸長状態のブロア２４の端部に接触する位置に配置されている。
【００３０】
このような構成においては、乗りかご１が昇降移動すると、図３（Ａ）に示すように、気吹き機構２３におけるブロア２４の端部がローラ１９の周面に接触する。そしてこの接触に応じてローラ１９が水平軸回り方向に回転するとともに、このローラ１９に押されてブロア２４が図３（Ｂ）に示すように弾性的に縮小し、この縮小でブロア２４内の空気がノズル２５の先端から噴出し、光電装置４の光透過面４ａに吹き付けられる。そしてブロア２４がローラ１９を通過すると、ブロア２４が自己の弾力で伸長して当初の状態に戻る。
【００３１】
このようにして乗りかご１が昇降移動する都度、光電装置４の光透過面４ａにノズル２５から空気が吹き付けられ、この気吹きで光透過面４ａに塵埃等の異物が付着しているときにそれが拭いとられて清掃され、したがって光透過面４ａに塵埃等の異物が付着して堆積するようなことがなく、光透過面４ａを常時きれいな状態に保つことができ、光電装置４の誤動作の発生を防止することができる。
【００３２】
そして本実施形態でも、光電装置４と気吹き機構２３が乗りかご１に一体的に取り付けられているから、光電装置４の光透過面４ａとノズル２５との位置関係の調整が容易となり、また乗りかご１が揺れたり振動してもその光電装置４の光透過面４ａとノズル２５との相対的な位置関係を一定に保持でき、したがって乗りかご１の揺れや振動にかかわらず常に適正に機能させることができ、さらに光電装置４の光透過面４ａに清掃用部材が直接接触するようなことがないから、その清掃用部材の損耗による交換というメンテナンスが不要で管理がより容易となる。
【００３３】
なお、本実施形態においても、押し具としての回転自在なローラ１９に代えて、例えば乗りかご１の昇降に応じて前記ブロア２４の端部に接触可能なテーパ面を有し、そのテーパ面で前記ブロア２４を弾性的に押圧して縮小させることとが可能な部材を用いることもできる。
【００３４】
図４には第４の実施形態を示してあり、この実施形態においては、乗りかご２にブラケット３を介して光電装置４が取り付けられているとともに、昇降路内にブラケット７を介して回転式清掃機構２８が設けられている。
【００３５】
回転式清掃機構２８は、前記ブラケット７に水平方向に伸縮可能に設けられた伸縮部材２９と、この伸縮部材２９の先端部に水平軸回り方向に回転自在に設けられた清掃具としてのローラ３０とを有し、前記伸縮部材２９がスプリング３１を介して乗りかご２における光電装置４の配置側に向けて弾性的に付勢されている。
【００３６】
前記ローラ３０は、通常時にその周面の一部が、乗りかご２が昇降するときにおける光電装置４の光透過面４ａの軌跡上に配置するように設けられている。
【００３７】
このような構成においては、乗りかご２が昇降移動すると、光電装置４における光透過面４ａが清掃具としてのローラ３０の周面に接触する。そしてこの接触に応じてローラ３０が水平軸回り方向に回転するとともに、このローラ３０が光透過面４ａにより押され、スプリング３１に抗して後退する。そして光電装置４の光透過面４ａがローラ３０を通過すると、ローラ３０がスプリング３１の付勢力で当初の位置に戻る。
【００３８】
このようにして乗りかご２が昇降移動する都度、光電装置４の光透過面４ａにローラ３０が接触し、この接触で光透過面４ａに塵埃等の異物が付着しているときにそれが拭いとられて清掃され、したがって光透過面４ａに塵埃等の異物が付着して堆積するようなことがなく、光透過面４ａを常時きれいな状態に保つことができ、光電装置４の誤動作の発生を防止することができる。
【００３９】
本実施形態においては、清掃具としてのローラ３０が進退可能に支持されており、このためローラ３０と光電装置４の光透過面４ａとの間の位置関係に多少のずれがあっても、ローラ３０を光透過面４ａに的確に接触させることができ、したがってその位置関係の調整が容易となる。
【図面の簡単な説明】
【００４０】
【図１】この発明の第１の実施形態を示す平面構成図。
【図２】この発明の第２の実施形態を示す平面構成図。
【図３】この発明の第３の実施形態を示す平面構成図。
【図４】この発明の第４の実施形態を示す平面構成図。
【符号の説明】
【００４１】
１…昇降路
２…乗りかご
４…光電装置
４ａ…光透過面
６…ブラシ（清掃具）
１０…可動式清掃機構
１３…支持片
１４…ヒンジ
１５…可動片
１６…スプリング
１９…ローラ（押し具）
２３…気吹き機構
２４…ブロア
２５…ノズル
２８…回転式清掃機構
２９…伸縮部材
３０…ローラ（清掃具）
３１…スプリング
【図１】
2005320120.tif 000003
【図２】
2005320120.tif 000004
【図３】
2005320120.tif 000005
【図４】
2005320120.tif 000006